(57)【特許請求の範囲】
【請求項１】
機能ユニットを実装する複数のスロットと、前記複数のスロットに電源電圧を供給するための１系統の電源供給路を途中で切断して前記複数のスロットを第１および第２グループに分離する分離結合手段を有するマザーボードと、前記複数の全てのスロットまたは前記分離結合手段による分離後の前記第１グループのスロットに電源電圧を供給する基本電源ユニットと、前記分離結合手段により前記電源供給路が分離された場合にのみ、分離された前記電源供給路の一部を使用して前記第２グループのスロットに電源電圧を供給する増設電源ユニットと、を備えることを特徴とする構内交換装置。
【請求項２】
前記分離結合手段は前記マザーボードに実装されたショートピン付きコネクタからなり、前記増設電源ユニットを実装する前記マザーボードの専用スロットに配置して、前記ショートピンを取り外すことにより前記基本電源ユニットから前記第２グループのスロットに供給する電源供給路を分離するとともに、前記ショートピンが取り外された状態でのみ前記増設電源ユニットが前記マザーボードの専用スロットに実装可能となる構成を有することを特徴とする請求項１記載の構内交換装置。
【請求項３】
前記分離結合手段は前記マザーボードに実装された２回路２接点のショートピン付きコネクタからなり、１回路１接点を用いて前記基本電源ユニットから前記第２グループのスロットに供給する電源供給路を分離し、他の１回路１接点を用いて前記増設電源ユニットを制御して前記第２グループのスロットに電源電圧を供給することを特徴とする請求項１記載の構内交換装置。
【請求項４】
前記分離結合手段は前記マザーボードに実装され電気的な制御信号によって開閉する電気的スイッチ素子からなり、前記電気的スイッチ素子は一端が接地され他端が電源に接続されたショートピン付きコネクタのショートピンの実装によって閉成し未実装によって開成する構成を有し、前記ショートピン付きコネクタを前記増設電源ユニットを実装する前記マザーボードの専用スロットに配置して、前記ショートピンが未実装の状態でのみ前記増設電源ユニットが前記マザーボードの専用スロットに実装可能となる構成を有することを特徴とする請求項１記載の構内交換装置。
【請求項５】
前記分離結合手段は前記マザーボードに実装され電気的な制御信号によって開閉する電気的スイッチ素子からなり、前記電気的スイッチ素子は前記増設電源ユニットの実装時に発生する制御信号によって開成され、前記増設電源ユニットは前記制御信号の発生後一定時間経過後に前記第２グループのスロットに電源電圧を供給することを特徴とする請求項１記載の構内交換装置。
【請求項６】
前記分離結合手段は前記マザーボードに実装され電気的な制御信号によって開閉する電気的スイッチ素子からなり、前記電気的スイッチ素子は前記増設電源ユニットの実装時に発生する制御信号によって開成され、前記増設電源ユニットは前記電気的スイッチ素子によって分離された前記電源供給路に電源電圧が存在しないことを検出してから前記第２グループのスロットに電源電圧を供給することを特徴とする請求項１記載の構内交換装置。
【発明の詳細な説明】
【０００１】
【発明の属する技術分野】
本発明は、収容する機能ユニットの構成により電源容量に不足が生じると、増設電源ユニットを追加することで不足する電源容量を補うことができる構内交換装置に関するものである。
【０００２】
【従来の技術】
図１７は、構内交換機能を有するビジネスホン主装置の電源供給システムの構成図を示しており、基本電源ユニット２１、制御ユニット２２、ユーザの要求仕様に応じて局線インタフェースユニットや内線電話機インタフェースユニット等の機能ユニットを挿入する８個のフリースロット（ＦＳ１〜ＦＳ８）２３がマザーボード上に設けられている。
【０００３】
この主装置には、基本電源ユニット２１が初めから実装されており、マザーボード上の電源パターンＰ１およびＰ２によって直流２４Ｖおよび５Ｖの各電源が制御ユニット２２およびフリースロット２３に供給されており、さらにＧＮＤパターンＰ３によって接続されている。
【０００４】
【発明が解決しようとする課題】
このように、この主装置は内線インタフェースユニット等の機能ユニットの実装容量が８回線であり、これを基本機能ユニットとしているため、基本電源ユニット２１もこれに見合った電源容量のものを用いている。
【０００５】
ところで、この装置に従来の数倍の容量を持つ内線インタフェースユニット等の高容量機能ユニットの実装が可能となれば、同一構成でありながらシステムの容量を増加させることができ、従来の同容量の装置に比べて寸法を小型化することが可能であり、コストも削減することができる。
【０００６】
しかし、この場合は基本電源ユニット２１も従来の数倍の電源容量を持つユニットが必要となるため、高容量機能ユニットによるシステムの構成を前提にすると、従来の基本機能ユニットで構成するシステムでは、コストが大幅に増加するという課題がある。
【０００７】
本発明は、このような従来の課題を解決するためになされたもので、基本機能ユニットと高容量機能ユニットとの組み合わせによって不足する電源容量を低コストで容易に補うことができる構内交換装置を提供するものである。
【００１０】
【課題を解決するための手段】
本発明の構内交換機は、機能ユニットを実装する複数のスロットと、複数のスロットに電源電圧を供給するための１系統の電源供給路を途中で切断して複数のスロットを第１および第２グループに分離する分離結合手段を有するマザーボードと、複数の全てのスロットまたは分離結合手段による分離後の第１グループのスロットに電源電圧を供給する基本電源ユニットと、分離結合手段により電源供給路が分離された場合にのみ、分離された電源供給路の一部を使用して第２グループのスロットに電源電圧を供給する増設電源ユニットと、を備える構成を有している。
【００１１】
この構成により、基本電源ユニットは基本機能ユニットでシステムを構成するのに必要な電源容量を有し、さらに機能ユニットを実装する複数のスロットを基本電源ユニットから電源電圧を供給するグループと増設電源ユニットから電源電圧を供給するグループとに分け、分離結合手段によって両グループの電源の分離を行うことで基本電源ユニットからの電源電圧と増設電源ユニットからの電源電圧との衝突を防ぎ、並列運転機能を持たない増設電源ユニットを使用してシステムの電源容量を増加させることとなる。
【００１２】
また、本発明の構内交換機は、分離結合手段がマザーボードに実装されたショートピン付きコネクタからなり、増設電源ユニットを実装するマザーボードの専用スロットに配置して、ショートピンを取り外すことにより基本電源ユニットから第２グループのスロットに供給する電源供給路を分離するとともに、ショートピンが取り外された状態でのみ増設電源ユニットがマザーボードの専用スロットに実装可能となる構成を有している。
【００１３】
この構成により、基本電源ユニットから機能ユニットに供給する電源経路の分離をショートピン付きコネクタにより行い、ショートピンをはずした状態でのみ増設用電源ユニットの実装を可能とする構造とすることで電源電圧の衝突を防ぐためのショートピンの取りはずし忘れを防止することとなる。
【００１４】
また、本発明の構内交換機は、分離結合手段がマザーボードに実装された２回路２接点のショートピン付きコネクタからなり、１回路１接点を用いて基本電源ユニットから第２グループのスロットに供給する電源供給路を分離し、他の１回路１接点を用いて増設電源ユニットを制御して第２グループのスロットに電源電圧を供給する構成を有している。
【００１５】
この構成により、基本電源ユニットと増設電源ユニットからの電源電圧の衝突を防ぐショートピンの取りはずし忘れを防止するため、２回路２接点のショートピンコネクタを使用し、同時に増設用電源ユニットの電源出力制御機能を持たせることで、増設電源ユニット実装時にショートピンを取りはずすことでグループ間の電源供給路の分離と、増設電源ユニットからの電源供給を同時に行なうこととなる。
【００１６】
また、本発明の構内交換機は、分離結合手段がマザーボードに実装され電気的な制御信号によって開閉する電気的スイッチ素子からなり、この電気的スイッチ素子は一端が接地され他端が電源に接続されたショートピン付きコネクタのショートピンの実装によって閉成し未実装によって開成する構成を有し、ショートピン付きコネクタを増設電源ユニットを実装するマザーボードの専用スロットに配置して、ショートピンが未実装の状態でのみ増設電源ユニットがマザーボードの専用スロットに実装可能となる構成を有する。
【００１７】
この構成により、基本電源ユニットから第２グループのスロットに供給する電源供給路の分離を電気的スイッチ素子により行い、この電気的スイッチ素子を駆動する制御信号をショートピン付きコネクタのショートピンの有無によって生成し、ショートピンを外した状態でのみ増設用電源ユニットの実装を可能とする構造とすることで電源の衝突を防ぐこととなる。
【００１８】
また、本発明の構内交換機は、分離結合手段がマザーボードに実装され電気的な制御信号によって開閉する電気的スイッチ素子からなり、この電気的スイッチ素子は増設電源ユニットの実装時に発生する制御信号によって開成される構成を有し、増設電源ユニットは制御信号の発生後一定時間経過後に第２グループのスロットに電源電圧を供給する構成を有している。
【００１９】
この構成により、基本電源ユニットから第２グループのスロットに供給する電源の分離は電気的スイッチ素子により行い、この電気的スイッチ素子の開制御は増設電源ユニットの実装時に発生する制御信号によって行い、さらに増設電源ユニットは制御信号の発生後、電気的スイッチ素子が閉成される一定時間後に第２グループのスロットに電源電圧を供給することとなる。
【００２０】
また、本発明の構内交換機は、分離結合手段がマザーボードに実装され電気的な制御信号によって開閉する電気的スイッチ素子からなり、この電気的スイッチ素子は増設電源ユニットの実装時に発生する制御信号によって開成され、増設電源ユニットは電気的スイッチ素子によって分離された電源供給路に電源電圧が存在しないことを検出してから第２グループのスロットに電源電圧を供給する構成を有している。
【００２１】
この構成により、基本電源ユニットと第２グループのスロットとの電源供給路の分離は電気的スイッチ素子により行い、この電気的スイッチ素子の開制御は増設電源ユニットが実装されると増設電源ユニットから発生する制御信号によって行い、さらに増設電源ユニットは分離後の電源供給路に電源電圧が存在しないことを確認した後に第２グループのスロットに電源電圧を供給することとなる。
【００２６】
【発明の実施の形態】
以下、本発明の実施の形態について、図面を用いて説明する。
【００２７】
（実施の形態１）
図１は、本発明による構内交換装置の実施の形態１を示す構成図で、基本電源ユニット１Ａ、制御ユニット２、各種機能ユニットを挿入する８個のフリースロット（ＦＳ１〜ＦＳ８）３が設けられている。フリースロット３はユーザの要求仕様に応じて局線インタフェースユニットや内線電話機インタフェースユニット等が設けられる。
【００２８】
基本電源ユニット１Ａは制御ユニット２およびフリースロット３に電源パターンＰ１およびＰ２を介して直流２４Ｖおよび直流５Ｖを供給し、さらにＧＮＤパターンＰ３によって接地されている。基本電源ユニット１は８回線の基本機能ユニットをまかなえる電源容量となっている。
【００２９】
システム容量を増す場合は、高容量機能ユニットおよび並列運転機能を有する増設電源ユニット４Ａを挿入する。増設電源ユニット４Ａは直流２４Ｖを供給する電源パターンＰ１およびＧＮＤパターンＰ３に接続される。
【００３０】
制御ユニット２は高容量機能ユニットからデータバス／アドレスバスを介して通知される機種識別情報によりシステム容量を集計し、増設電源ユニット４Ａから増設電源ユニツト実装信号を検出することで、電源が増設されたことを検知して、正常運用モードになる。
【００３１】
増設電源ユニット４Ａが実装されていない場合は、増設電源ユニツト実装信号が検出されないため、制御ユニット２はシステムの動作を停止させる。こうして基本電源ユニット１Ａが過負荷状態になることを防止する。
【００３２】
このように、本実施の形態によれば、増設電源ユニット４Ａを実装することで電源容量を増加することができるため、高容量の機能ユニットを実装してシステム容量の拡大ができ、さらに基本電源ユニット１Ａを小容量化できる。また、制御ユニット２がシステム容量を認識することができるため、増設電源ユニット４Ａの実装忘れによる基本電源ユニット１Ａの過負荷を防止できる。こうして構内交換装置の電源容量を増加させて高容量のシステムを実現することができる。
【００３３】
（実施の形態２）
図２は、本発明による構内交換装置の実施の形態２を示す構成図で、前述の実施の形態１と同一の構成要素については同一符号を付して説明する。
【００３４】
本実施の形態は、実施の形態１の構成において、フリースロット３をグループ１（ＦＳ１〜４）とグループ２（ＦＳ５〜８）に分離し、直流２４Ｖの電源パターンＰ１のグループ間にショートピン付きコネクタ５を実装し、基本電源ユニット１Ｂおよび増設電源ユニット４Ｂが並列運転機能を備えていない点を除いては実施の形態１と同一の構成を有している。
【００３５】
高容量機能ユニットを使用する場合は、コネクタ５のショートピンを取り外し、グループ２への電源供給を基本電源ユニット１Ｂから切り離した後、増設電源ユニット４Ｂを挿入する。こうすることで、基本電源ユニット１Ｂから電源電圧を供給するグループ１と、増設電源ユニット４Ｂから電源電圧を供給するグループ２とに分離することができる。
【００３６】
このように、本実施の形態によれば、ショートピン付きコネクタ５によって電源供給路を分割し、グループ１には基本電源ユニット１Ｂから電源電圧を供給し、グループ１には増設電源ユニット４Ｂから電源電圧を供給するので、並列運転可能な電源ユニットを用いることなくシステムの電源容量を増加させることができる。
【００３７】
（実施の形態３）
図３は、本発明による構内交換装置の実施の形態３を示す構成図で、前述の実施の形態２と同一の構成要素については同一符号を付して説明する。
【００３８】
本実施の形態は、実施の形態２の構成において、フリースロット３のグループ１とグループ２を分割するショートピン付きコネクタ５を、増設電源ユニット４Ｂの下部に配置し、ショートピン付きコネクタ５のショートピンを取り外さない限り増設電源ユニット４Ｂを実装できない構成となっている。
【００３９】
すなわち、図４の取り付け構成図に示すように、マザーボード６に取り付けたショートピン付きコネクタ５のショートピン５ａを取り付けたまま増設電源ユニット４Ｂを実装すると、増設電源ユニット４Ｂとショートピン５ａとが当接し、マザーボード６および増設電源ユニット４Ｂを接続するコネクタ７が嵌合しない構造となっている。
【００４０】
従って、図５の取り付け構成図に示すように、ショートピン付きコネクタ５のショートピン５ａを取り外すことにより、コネクタ７の嵌合が正しくなされ、マザーボード６に増設電源ユニット４Ｂを実装することができる。なお、図４および図５において、（ａ）は正面図、（ｂ）は側面図である。
【００４１】
このように、本実施の形態によれば、ショートピン付きコネクタ５の高さと増設電源ユニット４Ｂの取り付け高さとを最適化することで、増設電源ユニット４Ｂの実装時にショートピン付きコネクタ５のショートピン５ａの取り外し忘れを防ぐことができ、工事ミスによる電源の衝突を防止することができる。
【００４２】
（実施の形態４）
図６は、本発明による構内交換装置の実施の形態４を示す構成図で、前述の実施の形態２と同一の構成要素については同一符号を付して説明する。
【００４３】
本実施の形態は、実施の形態２の構成において、フリースロット３のグループ１とグループ２を分割するショートピン付きコネクタ５に代えて、２回路２接点のショートピン付きコネクタ８を設けた構成を有している。
【００４４】
このショートピン付きコネクタ８の第１回路８ａによってフリースロット３のグループ１とグループ２の電源供給路を分割し、第２回路８ｂによって増設用電源ユニット４Ｂの制御端子ＣＮＴをＧＮＤに接続する。
【００４５】
ショートピン付きコネクタ８のショートピンを取り外すことによって、グループ１とグループ２の電源パターンＰ１が分割されると共に、増設電源ユニット４Ｂの制御端子ＣＮＴに抵抗Ｒを経て電圧が供給される。
【００４６】
図７は、増設電源ユニット４Ｂのブロック図であり、制御端子ＣＮＴの電位が高くなると増設電源ユニット４Ｂの出力制御用リレー４ａが駆動され、その接点が閉じて直流２４Ｖの電源電圧を供給する構成となっている。
【００４７】
このように、本実施の形態によれば、２回路２接点のショートピン付きコネクタ８を使用し、１回路１接点でフリースロット３のグループ１とグループ２の電源経路を分割し、追加した１回路１接点で増設電源ユニット４Ｂの出力制御用リレー４ａを開閉制御することで増設電源ユニット４Ｂの出力制御が行える。このため、増設電源ユニット４Ｂの実装位置をショートピン付きコネクタ８の位置に制約されることがなくなると共に、工事ミスによる電源衝突の防止を行なうことができる。
【００４８】
（実施の形態５）
図８は、本発明による構内交換装置の実施の形態５を示す構成図で、前述の実施の形態２と同一の構成要素については同一符号を付して説明する。
【００４９】
本実施の形態は、実施の形態２の構成において、フリースロット３のグループ１とグループ２を分割するショートピン付きコネクタ５に代えて電源供給切替用リレー９を設け、このリレー９の切替え制御を、一端が抵抗Ｒを介して電源に接続され、他端が接地されたショートピン付きコネクタ１０のショートピンの着脱によって行う構成となっている。
【００５０】
また、ショートピン付きコネクタ１０は実施の形態３におけるショートピン付きコネクタ５と同様に、ショートピンを取り付けたまま増設電源ユニット４Ｂを挿入すると、増設電源ユニット４Ｂとショートピン付きコネクタ１０が当接し、増設電源ユニット４Ｂを取り付けることができない構成となっている。
【００５１】
従って、高容量機能ユニットを実装する場合は、ショートピン付きコネクタ１０のショートピンを取り外すことによって電源供給切替用リレー９を駆動し、接点を開いてグループ１とグループ２との間を切り離し、同時に増設電源ユニット４Ｂからグループ２に電源電圧を供給することになる。
【００５２】
このように、本実施の形態によれば、電気的スイッチ素子である電源供給切替用リレー９を用いることでマザーボードの設計を容易にでき、またショートピン付きコネクタ１０の高さと増設電源ユニット４Ｂの取り付け高さとを最適化することでショートピン付きコネクタ１０のショートピンの取り外し忘れを防ぐことができ、工事ミスによる電源の衝突を防止することができる。
【００５３】
（実施の形態６）
図９は、本発明による構内交換装置の実施の形態６を示す構成図で、前述の実施の形態５と同一の構成要素については同一符号を付して説明する。
【００５４】
本実施の形態は、実施の形態５の構成において、フリースロット３のグループ１とグループ２を分割する電源供給切替用リレー９の切替え制御を、ショートピン付きコネクタ１０に代えて増設電源ユニット４Ｂの制御端子ＣＮＴからの制御信号によって行う点を除いては、実施の形態５と同一の構成を有している。
【００５５】
図１０は、増設用電源ユニット４Ｂのブロック図であり、制御端子ＣＮＴが直流２４Ｖに接続されている。増設用電源ユニット４Ｂをマザーボードに実装すると、制御端子ＣＮＴから電源供給切替用リレー９に電圧が加わり、リレー接点が開いてグループ２を基本電源ユニット１Ｂから切り離す。また、タイマー４ｂが約２００msec後に作動し、出力制御用リレー４ａの接点を閉制御することで増設電源ユニット４Ｂからグループ２に電源が供給される。
【００５６】
また、図１１は増設用電源ユニット４Ｂの他のブロック図であり、増設用電源ユニット４Ｂをマザーボードに実装すると、制御端子ＣＮＴから電源供給切替用リレー９に電圧が加わり、リレー接点が開いてグループ２を基本電源ユニット１Ｂから切り離す。
【００５７】
同時に出力制御部４ｃによってグループ２側の電源パターンＰ１の電圧をモニタし、０Ｖの状態を確認してから出力制御部４ｃを駆動して出力制御用リレー４ａの接点を閉制御することで増設電源ユニット４Ｂからグループ２に電源電圧を供給する。こうして電源パターンＰ１上の電源電圧が０Ｖであることを確認してからグループ２に電源電圧を供給するため、電気的スイッチ素子の故障による電源電圧の衝突を防止することができる。
【００５８】
このように、本実施の形態によれば、電源経路を分割するリレー等の電気的スイッチ素子を切り替える制御信号を増設電源ユニットから供給することで、増設電源ユニットを実装するだけで自動的にグループ２への電源供給を切替えることができ、工事ミスによる電源の衝突を防止することができる。
【００５９】
（実施の形態７）
図１２は、本発明による構内交換装置の実施の形態７を示すブロック図で、前述の実施の形態６と同一の構成要素については同一符号を付して説明する。
【００６０】
本実施の形態は、実施の形態６の構成において、フリースロット３のグループ１とグループ２を分割する電源供給切替用リレー９と増設用電源ユニット４Ｂの直流２４Ｖ電源間に電流逆流防止用ダイオード１１を新たに挿入し、さらに電源パターンＰ１上の電圧を増設用電源ユニット４Ｂのモニタ端子ＭＯＮでモニタするように構成した点を除いては、実施の形態６と同一の構成を有している。
【００６１】
図１３は、増設用電源ユニット４Ｂのブロック図であり、制御端子ＣＮＴが直流２４Ｖに接続されている。増設用電源ユニット４Ｂをマザーボードに挿入すると、制御端子ＣＮＴから電源供給切替用リレー９に電圧が加わり、リレー接点が開いてグループ２を基本電源ユニット１Ｂから切り離す。
【００６２】
同時に出力制御部４ｃによってグループ２側の電源パターンＰ１の電圧をモニタ端子ＭＯＮでモニタし、０Ｖの状態を確認してから出力制御部４ｃを駆動して出力制御用リレー４ａの接点を閉制御することで増設電源ユニット４Ｂからグループ２に電源電圧を供給する。こうして電源パターンＰ１上の電源電圧が０Ｖであることを確認してから、グループ２に電源電圧を供給するため、電気的スイッチ素子の故障による電源の衝突を防止することができる。
【００６３】
また、増設電源ユニット４Ｂはグループ２側の電源パターンＰ１の電圧をモニタ端子ＭＯＮで常時モニタし、運用時に電源供給切替用リレー９が故障しショート状態になった場合、電源パターンＰ１に電圧が発生するので、出力制御部４ｃはその電圧を検知し、出力制御用リレー４ａの接点を開制御することで直流２４Ｖの出力を停止する。
【００６４】
このように、本実施の形態によれば、増設電源ユニット４Ｂは基本電源ユニット１Ｂからの電源電圧を常に監視することにより、運用中に電気的スイッチ素子が故障しても電源電圧の衝突を防止することができる。
【００６５】
（実施の形態８）
図１４は、本発明による構内交換装置の実施の形態８を示す構成図で、基本電源ユニット１Ｂ、制御ユニット２、各種機能ユニットを挿入する８個のフリースロット（ＦＳ１〜ＦＳ１０）３が設けられている。フリースロット３はユーザの要求仕様に応じて局線インタフェースユニットや内線電話機インタフェースユニット等が設けられ、グループ１（ＦＳ１〜ＦＳ５）とグループ２（ＦＳ６〜ＦＳ１０）からなっている。
【００６６】
基本電源ユニット１Ｂは制御ユニット２およびフリースロット３の全てに電源パターンＰ１およびＰ２を介して直流２４Ｖおよび直流５Ｖを供給し、さらにＧＮＤパターンＰ３によって接地されている。基本電源ユニット１Ｂは８回線の基本機能ユニットをまかなえる電源容量となっている。
【００６７】
システム容量を増す場合は、増設電源ユニット４Ｂを挿入する。増設電源ユニット４Ｂはフリースロット３のグループ２に直流２４Ｖを供給する電源パターンＰ４およびＧＮＤパターンＰ３に接続される。また、増設電源ユニット４Ｂは制御端子ＣＮＴから信号パターンＰ５を介してグループ２に実装信号を供給する構成となっている。
【００６８】
図１５は、増設用電源ユニット４Ｂのブロック図であり、制御端子ＣＮＴが直流２４Ｖに接続されている。増設用電源ユニット４Ｂをマザーボードに実装すると、制御端子ＣＮＴから信号パターンＰ５を介してグループ２に直流２４Ｖの実装信号が供給される。
【００６９】
図１６は、フリースロット３のグループ２に実装される高容量機能ユニット１２の電源選択部１２ａを示すブロック図である。電源選択部１２ａは高容量機能ユニット１２の内部で使用する電源を選択するもので、増設電源ユニット４Ｂの制御端子ＣＮＴから直流２４Ｖの実装信号を受けると、増設用電源ユニット４Ｂからの直流２４Ｖの電源電圧２４Ｖ２を選択し、実装信号が無い場合は基本電源ユニット１Ｂからの直流２４Ｖの電源電圧２４Ｖ１を選択し、それぞれ高容量機能ユニット１２の内部に供給する。
【００７０】
このように、本実施の形態によれば、グループ２に実装される高容量機能ユニットに増設用電源ユニット４Ｂからの直流２４Ｖの電源電圧を選択する機能を設けることで、増設電源ユニットからの電源供給を可能とし、システムの容量を増加させることができる。また、高電流の電源パターンＰ１の切り替え等が不要となり、信頼性を向上させることができる。
【００７１】
【発明の効果】
以上説明したように、本発明は増設電源ユニットを実装することで電源容量を増加することができるため、高容量機能ユニットを実装してシステム容量の拡大を図ることができ、また制御ユニットがシステム容量を認識することができるため、増設電源ユニットの実装忘れによる基本電源ユニットの過負荷を防止することができるなど、すぐれた効果を有する構内交換装置を提供することができるものである。
【図面の簡単な説明】
【図１】本発明による構内交換装置の実施の形態１を示す構成図
【図２】本発明による構内交換装置の実施の形態２を示す構成図
【図３】本発明による構内交換装置の実施の形態３を示す構成図
【図４】図３に示す増設電源ユニットの取り付け構成図
【図５】図３に示す増設電源ユニットの取り付け構成図
【図６】本発明による構内交換装置の実施の形態４を示す構成図
【図７】図６に示す増設電源ユニットのブロック図
【図８】本発明による構内交換装置の実施の形態５を示す構成図
【図９】本発明による構内交換装置の実施の形態６を示す構成図
【図１０】図９に示す増設電源ユニットのブロック図
【図１１】図９に示す増設電源ユニットの他のブロック図
【図１２】本発明による構内交換装置の実施の形態７を示す構成図
【図１３】図１２に示す増設電源ユニットのブロック図
【図１４】本発明による構内交換装置の実施の形態８を示す構成図
【図１５】図１４に示す増設電源ユニットのブロック図
【図１６】図１４に示すグループ２に実装される高容量機能ユニットのブロック図
【図１７】従来の構内交換機能を有するビジネスホン主装置のブロック図
【符号の説明】
１Ａ  基本電源ユニット（並列運転機能付）
１Ｂ  基本電源ユニット
２    制御ユニット
３    フリースロット
４Ａ  増設電源ユニット（並列運転機能付）
４Ｂ  増設電源ユニット
４ａ  出力制御用リレー
４ｂ  タイマー
４ｃ  出力制御部
５    ショートピン付きコネクタ
５ａ  ショートピン
６    マザーボード
７    コネクタ
８    ２回路２接点のショートピン付きコネクタ
８ａ  第１回路
８ｂ  第２回路
９    電源供給切替用リレー
１０    ショートピン付きコネクタ
１１    電流逆流防止用ダイオード
１２    高容量機能ユニット
１２ａ  電源選択部
【図１】
0004271354.tif 000002
【図２】
0004271354.tif 000003
【図３】
0004271354.tif 000004
【図４】
0004271354.tif 000005
【図５】
0004271354.tif 000006
【図６】
0004271354.tif 000007
【図７】
0004271354.tif 000008
【図８】
0004271354.tif 000009
【図９】
0004271354.tif 000010
【図１０】
0004271354.tif 000011
【図１１】
0004271354.tif 000012
【図１２】
0004271354.tif 000013
【図１３】
0004271354.tif 000014
【図１４】
0004271354.tif 000015
【図１５】
0004271354.tif 000016
【図１６】
0004271354.tif 000017
【図１７】
0004271354.tif 000018